(57)【特許請求の範囲】
【請求項１】
灯具本体と、
前記灯具本体を傾動可能に支持するアーム部材を有する支持部と、
前記支持部に連結される移動部材と、
前記移動部材を傾動可能且つ所定の方向に移動可能に支持するとともに、前記移動部材を前記所定の方向に案内することにより前記灯具本体を第１位置と第２位置との間で案内する案内部と
を備え、
前記案内部は、前記所定の方向に延在する一対の壁部を有し、
前記移動部材は、前記一対の壁部の間において前記所定の方向に移動し、
前記一対の壁部は、前記灯具本体が前記第１位置に配置される際に前記移動部材が位置する箇所に対応して設けられる切り欠き部を有する、照明器具。
【請求項２】
前記移動部材は、前記一対の壁部の間に配置される第１部分を含み、
前記切り欠き部は、前記移動部材が傾動する際に、前記一対の壁部のうちの少なくとも一方の外方に前記第１部分が部分的に突出できるように設けられる、請求項１に記載の照明器具。
【請求項３】
前記第１部分は傾斜面を有し、
前記傾斜面は、前記灯具本体が前記第１位置に配置される際に、前記一対の壁部の端付近に位置する、請求項２に記載の照明器具。
【請求項４】
前記移動部材は、前記第１部分に連接するとともに、前記支持部に連結される第２部分を更に含み、
前記第２部分は、前記第１部分よりも薄く、且つ、前記一対の壁部の外側に位置する、請求項２又は請求項３に記載の照明器具。
【請求項５】
枠部を有する枠体を更に備え、
前記案内部は、前記枠体によって支持されるとともに、前記枠部の内側に形成される開口を前記灯具本体が通過するように前記移動部材を案内する、請求項１〜請求項４のいずれか１項に記載の照明器具。
【請求項６】
前記照明器具を天井に取り付けるための取付部材を更に備え、
前記取付部材は、前記案内部が前記枠体に固定されている箇所に隣接して前記枠体に固定される、請求項５に記載の照明器具。
【請求項７】
前記支持部は、前記アーム部材を旋回可能に支持する天板を更に有する、請求項１〜請求項６のいずれか１項に記載の照明器具。
【発明の詳細な説明】
【技術分野】
【０００１】
本発明は、照明器具に関する。
【背景技術】
【０００２】
照明器具の一種として、天井に埋め込まれて使用されるダウンライトが知られている。また、ダウンライトの一種として、天井から灯具本体を引き出すことが可能なダウンライトが知られている。
【０００３】
例えば、特許文献１に記載されたダウンライトは、天井から引き出した灯具本体の旋回及び傾動（首振り）が可能な構成となっている。また、特許文献１に記載されたダウンライトは、天井裏に収納されている状態での灯具本体の旋回及び傾動も可能な構成となっている。
【先行技術文献】
【特許文献】
【０００４】
【特許文献１】特開平１１−３３９５１２号公報
【発明の概要】
【発明が解決しようとする課題】
【０００５】
しかしながら、特許文献１に記載された照明器具（ダウンライト）では、天井裏に収納されている状態での灯具本体の傾動角度を大きくするために、天井に比較的大きな開口を設ける必要がある。
【０００６】
本発明は上記課題に鑑みてなされたものであり、その目的は、天井に設ける開口を拡大することなく、天井裏に収納されている状態での灯具本体の傾動角度を拡大することができる照明器具を提供することにある。
【課題を解決するための手段】
【０００７】
本願に開示する照明器具は、灯具本体と、支持部と、移動部材と、案内部とを備える。前記支持部は、前記灯具本体を傾動可能に支持するアーム部材を有する。前記移動部材は、前記支持部に連結される。前記案内部は、前記移動部材を傾動可能且つ所定の方向に移動可能に支持する。また前記案内部は、前記移動部材を前記所定の方向に案内することにより前記灯具本体を第１位置と第２位置との間で案内する。更に、前記案内部は、前記所定の方向に延在する一対の壁部を有する。前記移動部材は、前記一対の壁部の間において前記所定の方向に移動する。前記一対の壁部は、切り欠き部を有する。前記切り欠き部は、前記灯具本体が前記第１位置に配置される際に前記移動部材が位置する箇所に対応して設けられる。
【０００８】
本願に開示する照明器具において、前記移動部材は、前記一対の壁部の間に配置される第１部分を含んでもよい。また、前記切り欠き部は、前記移動部材が傾動する際に、前記一対の壁部のうちの少なくとも一方の外方に前記第１部分が部分的に突出できるように設けられてもよい。
【０００９】
本願に開示する照明器具において、前記第１部分は傾斜面を有してもよい。前記傾斜面は、前記灯具本体が前記第１位置に配置される際に、前記一対の壁部の端付近に位置してもよい。
【００１０】
本願に開示する照明器具において、前記移動部材は、前記第１部分に連接するとともに、前記支持部に連結される第２部分を更に含んでもよい。前記第２部分は、前記第１部分よりも薄く、且つ、前記一対の壁部の外側に位置してもよい。
【００１１】
本願に開示する照明器具は、枠部を有する枠体を更に備えてもよい。また、前記案内部は、前記枠体によって支持されるとともに、前記枠部の内側に形成される開口を前記灯具本体が通過するように前記移動部材を案内してもよい。
【００１２】
本願に開示する照明器具は、前記照明器具を天井に取り付けるための取付部材を更に備えてもよい。前記取付部材は、前記案内部が前記枠体に固定されている箇所に隣接して前記枠体に固定されてもよい。
【００１３】
本願に開示する照明器具において、前記支持部は、前記アーム部材を旋回可能に支持する天板を更に有してもよい。
【発明の効果】
【００１４】
本発明によれば、天井に設ける開口を拡大することなく、天井裏に収納されている状態での灯具本体の傾動角度を拡大することができる。
【図面の簡単な説明】
【００１５】
【図１】本発明の実施形態に係る照明器具を示す部分断面図である。
【図２】本発明の実施形態に係る照明器具を示す斜視図である。
【図３】本発明の実施形態に係る照明器具を示す他の斜視図である。
【図４】本発明の実施形態に係るスライダ及び灯具本体が傾いた状態の照明器具を示す斜視図である。
【図５】本発明の実施形態に係る照明器具の一部を拡大して示す図である。
【図６】本発明の実施形態に係る照明器具の他の一部を拡大して示す図である。
【図７】本発明の実施形態に係る照明器具が天井に取り付けられた状態を示す図である。
【図８】本発明の実施形態に係る照明器具を示す上面図である。
【図９】本発明の実施形態に係る灯具本体が引き出された状態の照明器具を示す図である。
【発明を実施するための形態】
【００１６】
以下、図面を参照して本発明の実施形態を説明する。但し、図中、同一又は相当部分については同一の参照符号を付して説明を繰り返さない。
【００１７】
まず図１を参照して、本実施形態に係る照明器具１の構成を説明する。図１は照明器具１を示す部分断面図である。照明器具１は、天井に取り付けられて使用される。なお、以下の説明において、「上」及び「下」は、照明器具１が天井に取り付けられた状態であるときの「上」及び「下」に対応する。
【００１８】
図１に示すように、照明器具１は、灯具本体２を備える。本実施形態に係る照明器具１は、灯具本体２を天井から完全に引き出すことができるように構成されている。図１は、灯具本体２が上限位置（第１位置の一例）に配置されている状態を示している。換言すると、図１は、灯具本体２が引き出されていない状態を示している。
【００１９】
灯具本体２は、発光素子アレイ２１（光源の一例）と、レンズ２２と、ヒートシンク２３とを有する。発光素子アレイ２１及びレンズ２２は、灯具本体２の下部に設けられ、ヒートシンク２３は灯具本体２の上部に形成される。
【００２０】
発光素子アレイ２１は、複数の発光素子を含む。本実施形態では、発光素子アレイ２１はＬＥＤ（Ｌｉｇｈｔ  Ｅｍｉｔｔｉｎｇ  Ｄｉｏｄｅ）アレイである。換言すると、発光素子アレイ２１は複数のＬＥＤを含む。発光素子アレイ２１は、例えば、複数のＬＥＤを蛍光体で封止することにより形成されるＣＯＢ（Ｃｈｉｐ  ｏｎ  Ｂｏａｒｄ）であり得る。あるいは、発光素子アレイ２１は、複数のＬＥＤチップが基板の実装面に載置されて基板の導電パターンに電気的に接続されたＳＭＤ（Ｓｕｒｆａｃｅ  Ｍｏｕｎｔ  Ｄｅｖｉｃｅ）であり得る。各ＬＥＤチップは、ＬＥＤと蛍光体とを１ユニット化することにより形成される。
【００２１】
レンズ２２は、発光素子アレイ２１の光出射面を覆うように配置される。発光素子アレイ２１から出射した光は、レンズ２２を通過して、灯具本体２の外部へ向けて照射される。なお、レンズ２２は必須ではなく、レンズ２２に代えてカバー部材が設けられてもよい。
【００２２】
ヒートシンク２３は、複数の放熱フィン２４を有する。ヒートシンク２３は、発光素子アレイ２１の上方に設けられて、主に発光素子アレイ２１から発生する熱を複数の放熱フィン２４によって放熱する。これにより、発光素子アレイ２１の温度上昇を抑制することができる。
【００２３】
照明器具１は、灯具本体２に加えて、枠体３と、支持部４と、２個のスライダ５（移動部材の一例）と、一対の案内支柱６（案内部の一例）と、複数の取り付けバネ７（取付部材の一例）とを備える。
【００２４】
支持部４は灯具本体２を支持する。具体的には、支持部４は、一対の支持アーム４１（アーム部材の一例）と、連結アーム４２（連結部材の一例）と、天板４３とを有する。
【００２５】
一対の支持アーム４１は灯具本体２を挟んで互いに対向するとともに、灯具本体２を傾動可能に支持する。本実施形態では、各支持アーム４１の先端部が第１ビス４４によって灯具本体２に連結されている。これにより、第１ビス４４の軸心である第１軸Ａ１を中心として灯具本体２を傾動させることが可能となる。
【００２６】
具体的には、第１ビス４４によって支持アーム４１が灯具本体２に対して締め付けられて、灯具本体２と支持アーム４１との間及び支持アーム４１と第１ビス４４の鍔部との間に摩擦が生じることにより、灯具本体２の姿勢（角度）が維持される。また、灯具本体２と支持アーム４１との間及び支持アーム４１と第１ビス４４の鍔部との間に発生する摩擦力以上の力が灯具本体２に加えられた場合にのみ灯具本体２の傾動が可能となる。
【００２７】
連結アーム４２は一対の支持アーム４１を連結する。本実施形態では、一対の支持アーム４１の基端部同士が連結アーム４２を介して一体的に連結される。天板４３は、連結アーム４２の上方に配置されて、連結アーム４２を旋回可能に懸架支持する。詳しくは、連結アーム４２は、第２軸Ａ２を中心に旋回可能に支持される。これにより、第２軸Ａ２を中心として灯具本体２を旋回させることが可能となる。なお、第２軸Ａ２は、発光素子アレイ２１の光出射面が鉛直下向きの姿勢である場合に灯具本体２から出射される光の軸と平行である。
【００２８】
各スライダ５は、支持部４に連結される。具体的には、各スライダ５は天板４３の縁部に連結される。なお、各スライダ５は、天板４３と一体成形されてもよいし、天板４３に固定されてもよい。
【００２９】
一対の案内支柱６は、各スライダ５を傾動可能且つ上下方向（所定の方向の一例）に移動可能に支持する。換言すると、一対の案内支柱６は、各スライダ５を上下方向に案内する。一対の案内支柱６が各スライダ５を案内することにより、灯具本体２及び支持部４が上下方向に案内される。詳しくは、各案内支柱６は、上下方向に延在する一対の壁部６１、６２を含む。一対の壁部６１、６２は対向しており、各スライダ５は、対応する一対の壁部６１、６２間において上下方向に移動する。なお、図１では、一対の壁部６１、６２のうちの一方の壁部６１を、図１の紙面において手前側に示している。また、他方の壁部６２を、図１の紙面において奥側に示している。
【００３０】
各案内支柱６は、枠体３によって支持されて、枠体３から上方へ立ち上がっている。本実施形態では、枠体３が有する枠部３１に、各案内支柱６の下端部が第２ビス６３によって固定されている。
【００３１】
各案内支柱６には長穴６４が形成されている。各長穴６４は、上下方向に延伸する長軸を有している。各長穴６４には、対応する案内支柱６の外側から第３ビス６５の軸が挿入される。第３ビス６５の軸は、対応する案内支柱６の内側に位置するスライダ５に固定される。これにより、第３ビス６５の鍔部とスライダ５との間に案内支柱６が挟まれて、スライダ５が案内支柱６に支持される。また、第３ビス６５の鍔部と案内支柱６との間、及び、スライダ５と案内支柱６との間に発生する摩擦力以上の力がスライダ５に付与された場合にのみ、スライダ５の上下方向への移動（昇降）、及び傾動（首振り）が可能となるように、第３ビス６５による締め付け力が調整されている。即ち、灯具本体２及び支持部４が上下方向の移動可能範囲内におけるどの位置に配置されていても、灯具本体２及び支持部４が自重で落下しないように、各スライダ５が第３ビス６５によって、対応する案内支柱６に保持されている。また、各スライダ５を傾けても、灯具本体２及び支持部４の自重で各スライダ５の姿勢（角度）が変化しないように、各スライダ５が第３ビス６５によって、対応する案内支柱６に保持されている。
【００３２】
本実施形態では、各スライダ５にバネ６５ａが設けられる。バネ６５ａを設けることにより、第３ビス６５がスライダ５と案内支柱６とを締め付ける力の調節をより高い精度で実施することが可能となる。なお、バネ６５ａは省略されてもよい。
【００３３】
各取り付けバネ７は、枠体３に固定されている。本実施形態では、各取り付けバネ７の基端部が、第４ビス７１によって枠体３の枠部３１に固定されている。また、本実施形態では、２個の取り付けバネ７が使用される。２個の取り付けバネ７は、好ましくは等間隔に配置される。これにより、枠体３を安定した姿勢で天井に取り付けることができる。
【００３４】
続いて図２及び図３を参照して、照明器具１の構成について説明する。図２は照明器具１を示す斜視図であり、図３は照明器具１を示す他の斜視図である。詳しくは、図３は、図２とは異なる方向から見た照明器具１を示す。図２及び図３は、灯具本体２が上限位置に配置されている状態を示している。なお、図２及び図３では、取り付けバネ７が省略されている。
【００３５】
図２及び図３に示すように、枠体３は、環状又は略環状の枠部３１を有する。なお、「略環状」とは、周方向において枠部３１が一部途切れていることを示す。枠体３は更に、鍔部３２を有する。鍔部３２は、外方へ突出するように枠部３１の下縁部に形成される。枠体３は、枠部３１及び鍔部３２の内側に、灯具本体２が通過可能な開口３３を有する。一対の案内支柱６は、枠体３の開口３３を灯具本体２が通過するように各スライダ５を案内することができる。
【００３６】
また、図２に示すように、壁部６１は切り欠き部６６を有する。なお、図示しないが、壁部６２も、壁部６１と同様に切り欠き部６６を有する。切り欠き部６６は、灯具本体２が上限位置に配置される際にスライダ５が位置する箇所に対応して設けられる。本実施形態において、切り欠き部６６は、各壁部６１、６２の上端部に形成される。
【００３７】
続いて図４及び図５を参照して、スライダ５について説明する。図４は、照明器具１の一部を拡大して示す図であり、スライダ５を正面視している。図５は照明器具１の他の一部を拡大して示す図である。詳しくは、図５は、図１において破線で囲まれた部分を拡大して示している。図４及び図５は、灯具本体２が上限位置に配置されている状態を示している。なお、図４では、第３ビス６５が省略されている。
【００３８】
図４に示すように、本実施形態において、スライダ５は、一対の壁部６１、６２間の幅Ｗ３（間隔）よりも狭い幅Ｗ１を有する幅広部５１（第１部分の一例）を含む。幅広部５１は、一対の壁部６１、６２間に配置されて、一対の壁部６１、６２間において上下方向に移動する。なお、幅広部５１の幅Ｗ１が一対の壁部６１、６２間の幅Ｗ３に近い程、スライダ５（灯具本体２）を上下方向へ移動させる際に発生する可能性があるスライダ５のがたつき、即ち灯具本体２のがたつきを抑制することができる。したがって、灯具本体２の昇降動作の円滑化を図ることができる。このため、本実施形態では、幅広部５１の幅Ｗ１と一対の壁部６１、６２間の幅Ｗ３とを略同一にしている。
【００３９】
スライダ５は更に、幅広部５１の幅Ｗ１よりも狭い幅Ｗ２を有する幅狭部５２（第２部分の一例）を含む。幅狭部５２は幅広部５１の下端に連接するとともに、天板４３に連結される。
【００４０】
図５に示すように、幅広部５１の厚みＴ１は、幅狭部５２の厚みＴ２よりも厚い。即ち、幅狭部５２は幅広部５１よりも肉薄である。また、幅広部５１の厚みＴ１は、各壁部６１、６２の幅Ｗ４（高さ）よりも大きく、幅狭部５２は、一対の壁部６１、６２の外側に位置する。具体的には、幅狭部５２は、一対の壁部６１、６２よりも灯具本体２（天板４３）の中心側に位置している。したがって幅狭部５２は、一対の壁部６１、６２から離れており、一対の壁部６１、６２の間を通らない。
【００４１】
更に、図４及び図５に示すように、幅広部５１は、一対の傾斜面５３を有する。一対の傾斜面５３は、幅狭部５２の各側面に連接する面であり、灯具本体２が上限位置に配置される際に一対の壁部６１、６２の上端付近に位置する。なお、本実施形態において傾斜面５３は平坦面であるが、傾斜面５３は曲面であってもよい。
【００４２】
続いて図６を参照して、各スライダ５の移動、及び、上限位置に配置されている灯具本体２の傾動について説明する。図６は、各スライダ５及び灯具本体２が傾いた状態の照明器具１を示す斜視図である。なお、図６は、灯具本体２が上限位置に配置されている状態を示している。また、図６では、取り付けバネ７が省略されている。
【００４３】
図６に示すように、灯具本体２が上限位置に配置されている際に、第３ビス６５の軸心を中心としてスライダ５を傾動させることができる。即ち、一対の壁部６１、６２が案内支柱６の上端まで延在する場合、スライダ５の傾動は一対の壁部６１、６２により阻止される。これに対し、本実施形態では、一対の壁部６１、６２の上端部に切り欠き部６６が設けられているため、スライダ５を傾動させても、スライダ５と一対の壁部６１、６２との干渉（接触）が発生し難い。よって、スライダ５の傾動が可能となる。
【００４４】
したがって、本実施形態によれば、灯具本体２が上限位置に配置されている際に、第３ビス６５を軸心として支持アーム４１を傾動させつつ、第１ビス４４を軸心として灯具本体２を傾動させることができる。この結果、上限位置に配置されている灯具本体２の傾動範囲を拡大することができる。
【００４５】
即ち、スライダ５が傾動できない場合には、枠体３の枠部３１の内周面に灯具本体２が接触するまでの範囲が、上限位置に配置されている灯具本体２の傾動範囲となる。これに対し、本実施形態によれば、スライダ５を傾動させて一対の支持アーム４１を傾動させることにより、灯具本体２と枠部３１の内周面との干渉（接触）を回避することが可能となる。したがって、上限位置に配置されている灯具本体２の傾動範囲を拡大することができる。
【００４６】
また、枠体３の枠部３１の内周面の径を、灯具本体２の径に対して十分に大きくすれば、スライダ５が傾動できない場合でも、灯具本体２と枠部３１の内周面との干渉（接触）を回避することが可能となる。しかし、この場合、天井に設ける開口を拡大する必要がある。これに対し、本実施形態によれば、枠部３１の内周面の径を大きくすることなく、灯具本体２の傾動範囲を拡大することができる。換言すると、天井に設ける開口を拡大することなく、灯具本体２の傾動範囲を拡大することができる。
【００４７】
また、一対の壁部６１、６２間の幅Ｗ３に対してスライダ５の幅Ｗ１を十分に小さくすれば、切り欠き部６６を設けることなくスライダ５の傾動が可能となる。しかし、この場合、スライダ５を上下方向へ移動させる際にスライダ５のがたつきが発生するため、灯具本体２を円滑に昇降させることができない。これに対し、本実施形態によれば、幅広部５１の幅Ｗ１を一対の壁部６１、６２間の幅Ｗ３に近づけて、灯具本体２の昇降動作の円滑化を図りつつ、スライダ５の傾動を可能にすることができる。
【００４８】
また、本実施形態では、スライダ５のがたつきの発生を抑制できるように、幅広部５１の幅Ｗ１と一対の壁部６１、６２間の幅Ｗ３とを略同一にしている。この結果、スライダ５が傾動する際には、一対の壁部６１、６２のうちの少なくとも一方の外側に切り欠き部６６を介してスライダ５が部分的に突出する。
【００４９】
また、本実施形態では、切り欠き部６６は、スライダ５が傾動する際に、一対の壁部６１、６２のうちの少なくとも一方の外側に切り欠き部６６を介して幅広部５１が部分的に突出できるように設けられる。換言すると、切り欠き部６６は、灯具本体２が上限位置に配置されている際に、幅広部５１の下端付近に一対の壁部６１、６２の上端が位置するように設けられる。したがって、例えばスライダ５の形状が直方体形状である場合に比べて、スライダ５が一対の壁部６１、６２によって案内される距離を長くすることができる。よって、スライダ５（灯具本体２）の昇降動作の安定性が向上する。
【００５０】
また、本実施形態では、幅狭部５２は、幅広部５１よりも肉薄であり、且つ、一対の壁部６１、６２の外側に位置する。したがって、スライダ５を傾動させる際に幅狭部５２が一対の壁部６１、６２と干渉しない。よって、スライダ５の傾動範囲を広げることができる。
【００５１】
また、本実施形態では、幅広部５１が一対の傾斜面５３を有する。これにより、スライダ５の傾斜角度を２つの向きに対して拡大することができる。更に、幅広部５１が一対の傾斜面５３を有することにより、一対の壁部６１、６２の上端を、より上方に位置させることが可能となる。換言すると、切り欠き部６６の上下方向の長さを、より短くすることができる。よって、スライダ５が一対の壁部６１、６２によって案内される距離を長くすることができる。更にまた、幅広部５１が一対の傾斜面５３を有することにより、スライダ５を下降させる際にスライダ５の姿勢（傾き）を一対の壁部６１、６２によって矯正することができる。即ち、スライダ５を傾けた姿勢のまま下降させると、一対の壁部６１、６２のうちの少なくとも一方の上端に、一方の傾斜面５３が当接する。そして、一対の壁部６１、６２のうちの少なくとも一方の上端を、一方の傾斜面５３が摺動する。この結果、スライダ５の姿勢が、傾動していない状態、又は略傾動していない状態に矯正される。
【００５２】
続いて図７を参照して、照明器具１を天井１００に取り付ける方法について説明する。図７は、照明器具１が天井１００に取り付けられた状態を示す図である。なお、図７は、灯具本体２が上限位置に配置されている状態を示している。
【００５３】
天井１００には、照明器具１を取り付けるための例えば円形の開口１０１が形成されている。開口１０１の直径は、枠部３１の直径よりも大きく、鍔部３２の直径よりも小さい。作業者は、取り付けバネ７の先端側が灯具本体２の側面に近づくように取り付けバネ７を弾性変形させた状態で、枠体３の鍔部３２が天井１００に当接するまで、天井１００の開口１０１に照明器具１を挿入する。これにより、取り付けバネ７がその弾性力によって拡がり、枠体３の鍔部３２と取り付けバネ７との間に天井１００が挟まれて、枠体３（照明器具１）が天井１００に固定される。このように、取り付けバネ７の弾性力によって、照明器具１が天井１００に取り付けられる（係止される）。
【００５４】
続いて図１及び図８を参照して、取り付けバネ７が枠体３に固定される位置について説明する。図８は照明器具１を示す上面図である。図１及び図８に示すように、本実施形態では、２個の取り付けバネ７が、一対の案内支柱６が枠体３に固定されている箇所に隣接して枠体３（枠部３１）に固定される。図７を参照して説明したように、照明器具１が天井１００に取り付けられている状態では、取り付けバネ７は上方に立ちあがっている。このため、上限位置に配置されている灯具本体２を傾動させたときに、灯具本体２が取り付けバネ７と接触（干渉）して、灯具本体２を所望の角度で傾動させることができない可能性がある。これに対し、一対の案内支柱６が枠体３に固定されている箇所に隣接して各取り付けバネ７を固定することにより、灯具本体２を傾動させる際の灯具本体２と取り付けバネ７との干渉を抑制すること可能となる。
【００５５】
図９は、灯具本体２が引き出された状態の照明器具１を示す図である。詳しくは、図９は、灯具本体２が下限位置（第２位置の一例）まで降下した状態を示している。また、図９は、図１を参照して説明した第１軸Ａ１（第１ビス４４の軸心）を中心に９０度傾動させた灯具本体２を二点鎖線によって示している。
【００５６】
図９に示すように、本実施形態に係る照明器具１は、灯具本体２を完全に引き出すことができる。灯具本体２は、天井から完全に引き出されたときに、下限位置に位置する。換言すると、灯具本体２は、一対の案内支柱６によって上限位置から下限位置まで案内されることにより、枠体３の開口３３（図２及び図３を参照）を通過して、天井から完全に引き出される。
【００５７】
以上説明した本実施形態によれば、天井１００に設ける開口１０１を拡大することなく、天井裏に収納されている状態での灯具本体２の傾動角度を拡大することができる。
【００５８】
以上、図面を参照しながら本発明の実施形態について説明した。但し、本発明は、上記の実施形態に限られるものではなく、その要旨を逸脱しない範囲で種々の態様において実施することが可能である。
【００５９】
例えば、本発明の実施形態では、光源がＬＥＤアレイである場合について説明したが、光源はＬＥＤアレイに限定されるものではない。例えば、光源は、１個のＬＥＤによって構成され得る。又は、光源は蛍光灯であってもよいし、白熱電球であってもよし、有機ＥＬであってもよい。
【００６０】
また、本発明の実施形態では、昇降、傾動、及び旋回が可能な照明器具１に本発明を適用した場合について説明したが、本発明は昇降及び傾動のみが可能な照明器具にも適用することができる。
【００６１】
また、本発明の実施形態では、一対の支持アーム４１によって灯具本体２が傾動可能に支持される形態について説明したが、本発明は、１つの支持アーム４１によって灯具本体２が傾動可能に支持される形態にも適用することができる。
【００６２】
また、本発明の実施形態では、幅広部５１が一対の傾斜面５３を有する形態について説明したが、本発明は、幅広部５１が傾斜面５３を一つ有する形態にも適用することができる。この場合、スライダ５の傾斜角度を１つの向きに対して拡大することができる。
【００６３】
また、本発明の実施形態では、幅広部５１の下端に幅狭部５２が連接する構成について説明したが、幅広部５１の下端に連接する部分の形状は、幅広部５１よりも幅が狭い形状に限定されるものではなく、幅広部５１よりも幅が広い形状であってもよい。
【００６４】
また、本発明の実施形態では、幅狭部５２が幅広部５１よりも肉薄である構成について説明したが、本発明はこれに限定されない。例えば、幅狭部５２は幅広部５１と同じ厚みを有し得る。但し、この場合、幅広部５１の下端に連接する部分の形状は、幅広部５１よりも幅が狭い形状であることが好ましい。
【００６５】
また、本発明の実施形態では、照明器具１が２個の取り付けバネ７を備える場合について説明したが、上限位置に配置されている灯具本体２の傾動を阻害しない限り、取り付けバネ７の個数は複数個であれば特に限定されるものではない。また、複数個の取り付けバネ７の間隔は、上限位置に配置されている灯具本体２の傾動を阻害しない限り特に限定されるものではなく、等間隔でなくてもよい。
【００６６】
また、本発明の実施形態では、照明器具１を天井に取り付ける部材に取り付けバネ７（バネ部材）が使用される形態について説明したが、本発明はこれに限定されない。例えば、照明器具１を天井に取り付ける部材として、スライド金具が使用されてもよい。
【産業上の利用可能性】
【００６７】
本発明は、照明器具の分野において適用することができ、特に、埋め込み型の照明器具の分野において有用である。
【符号の説明】
【００６８】
１          照明器具
２          灯具本体
４          支持部
５          スライダ（移動部材）
６          案内支柱（案内部）
４１        支持アーム（アーム部材）
５１        幅広部（第１部分）
５２        幅狭部（第２部分）
５３        傾斜面
６１、６２  壁部
６６        切り欠き部
【図１】
0006484501.tif 000002
【図２】
0006484501.tif 000003
【図３】
0006484501.tif 000004
【図４】
0006484501.tif 000005
【図５】
0006484501.tif 000006
【図６】
0006484501.tif 000007
【図７】
0006484501.tif 000008
【図８】
0006484501.tif 000009
【図９】
0006484501.tif 000010